(57)【要約】      （修正有）【課題】コンピュータマウスの電池カバーの開放と止め合わせ装置の提供。【解決手段】コンピュータマウスに底座１、中座カバー３、及び電池カバー６が設けられ、該中座カバーが電池溝室３１を具え、少なくとも一つの電池５を載置し、該電池カバーが該中座カバーの電池溝室を被覆可能で、電池カバーの底面より下向きに係止端６３が延伸されている。カバー開放ボタン７が底座の中座カバーの電池溝室の近隣に配置され、該カバー開放ボタンは押圧端７１と係止端７３を具え、且つその係止端が電池カバーの係止端６３に対応する。カバー開放ボタンが押圧される時、該電池カバーの係止端とカバー開放ボタンの係止端が係合関係を解除し、更に弾性部品により上向きの弾力が電池カバーに加えられて電池カバーが上向きに弾性開放される。【選択図】図６
0003110649.tif 000002
【実用新案登録請求の範囲】
【請求項１】
底座と、
電池溝室を具え、少なくとも一つの電池を載置する中座カバーと、
該中座カバーの電池溝室を被覆可能で、底面より下向きに係止端が延伸された電池カバーと、
該底座の中座カバーの電池溝室の近隣に配置され、押圧端と係止端を具え、その係止端が電池カバーの係止端に対応し相互に係合可能であるカバー開放ボタンと、
該カバー開放ボタンに結合され、押圧弾性セクションを具え、該押圧弾性セクションが電池カバーの係止端底部位置に延伸された弾性部品と、
を具え、該電池カバーが下向きの圧力を受ける時、該電池カバーの係止端がカバー開放ボタンの係止端と相互に係合し、カバー開放ボタンの押圧端が押圧される時、該電池カバーの係止端とカバー開放ボタンの係止端が係合を解除して該弾性部品が上向きの弾力を該電池カバーに与えて電池カバーを上向きに弾性開放させることを特徴とする、コンピュータマウスの電池カバーの開放と止め合わせ装置。
【請求項２】
請求項１記載のコンピュータマウスの電池カバーの開放と止め合わせ装置において、底座に貫通孔が設けられ、該貫通孔にカバー開放ボタンが収容されたことを特徴とする、コンピュータマウスの電池カバーの開放と止め合わせ装置。
【請求項３】
請求項１記載のコンピュータマウスの電池カバーの開放と止め合わせ装置において、カバー開放ボタンが押圧端の上方位置に形成された突出部と、該突出部の上端に形成された上記係止端を具えたことを特徴とする、コンピュータマウスの電池カバーの開放と止め合わせ装置。
【請求項４】
請求項３記載のコンピュータマウスの電池カバーの開放と止め合わせ装置において、前記突出部に溝が開設され、弾性部品の押圧弾性セクションが該溝に通されたことを特徴とする、コンピュータマウスの電池カバーの開放と止め合わせ装置。
【請求項５】
請求項１記載のコンピュータマウスの電池カバーの開放と止め合わせ装置において、カバー開放ボタンが案内柱を具え、該案内柱がカバー開放ボタンが押圧された時の水平方向移動を案内することを特徴とする、コンピュータマウスの電池カバーの開放と止め合わせ装置。
【請求項６】
請求項５記載のコンピュータマウスの電池カバーの開放と止め合わせ装置において、案内柱の外周にコイルバネが嵌合されたことを特徴とする、コンピュータマウスの電池カバーの開放と止め合わせ装置。
【請求項７】
請求項６記載のコンピュータマウスの電池カバーの開放と止め合わせ装置において、コイルバネの一端に一体に弾性部品より延伸された押圧弾性セクションが設けられたことを特徴とする、コンピュータマウスの電池カバーの開放と止め合わせ装置。
【考案の詳細な説明】
【技術分野】
【０００１】
本考案はコンピュータマウスの構造設計に係り、特に、無線式コンピュータマウスの電池カバーの開放と止め合わせ装置であって、使用者がコンピュータマウスの電池を交換するのに便利であるものに関する。
【背景技術】
【０００２】
一般にコンピュータに使用されるコンピュータマウスは必要な周辺装置であり、コンピュータマウスの移動操作を利用してコンピュータスクリーン上のカーソル位置を制御できる。無線式コンピュータマウスは信号接続線を必要とせず、信号接続線による拘束を受けないため、卓上で順調にスライドする長所を有するため、現在広くコンピュータ操作者により使用されている。
【０００３】
無線式コンピュータマウスはコンピュータマウス本体内に発射／受信アンテナ、搬送波発生器、アンテナ駆動増幅器、検波器、比較器、デコーダ等の無線回路装置が取り付けられ、それぞれ回路基板上に固定され並びにコンピュータマウス本体内に取り付けられる。回路基板上の発射／受信アンテナはコンピュータマウス信号を無線電波伝送方式でコンピュータの受信器に伝送し、コンピュータの操作を制御する。無線式コンピュータマウスは操作時に必要な作業電源が電池により供給される。
【考案の開示】
【考案が解決しようとする課題】
【０００４】
無線式コンピュータマウスは多くの操作使用上の長所を有しているが、その内部に取り付けられる電池の交換の問題を有しているため、使用者にトラブルを形成することがよくある。現在、無線式コンピュータマウスの電池カバーの着脱及び電池交換の構造によると、使用者は電池交換作業が必要な時、ネジ回しを使用してコンピュータマウス本体の上ケースと下ケースを止めているネジを取り外し、上ケースと下ケースを分離させるか、カバーと中座カバーを分離させた後でなければその内部の電池を取り出せず、その分解動作が内部回路装置を極めて傷つけやすく、並びに部品を遺失しやすい。
【０００５】
上述の無線式コンピュータマウスの電池交換の過程を観察すると、工具を使用してネジを取り外すか或いはカバーと中座カバーを分離させなければならず、このため時間と手間がかかり並びに部品を遺失しやすく、非常に不便であり、並びにコンピュータマウスの上ケース、下ケースを分離する時、ケース内に収容された無線回路装置の安全性に影響を与える恐れがあり、不注意な操作により無線回路装置の部品を傷つけたり部品を失ったりすると、厳重な場合は全体の無線式コンピュータマウスを使用できなくなる。
【０００６】
既存の一部の無線式コンピュータマウスの設計には、快速な電池カバーの着脱と電池交換を訴求した設計もあるが、ほとんどの構造は複雑であり、且つ操作に不便であり、その設計は操作上の簡便性を増すことができず、また全体の無線式コンピュータマウスの体積を大きくし重くする。
【０００７】
上述の周知の無線式コンピュータマウスの電池交換が行ないにくく無線式コンピュータマウスの操作上の不便を形成しうる欠点、及び分解時に内部に収容された無線回路装置部品を傷つけたり部品を失ったりしやすい欠点を鑑み、本考案はその改善のために提供される。
【０００８】
本考案の主要な目的は、一種のコンピュータマウスの電池カバーの開放と止め合わせ装置を提供することにあり、それは手指でカバー開放ボタンを押下げるだけで、電池カバーを上向きに弾性開放させられ、電池交換に便利であるものとする。
【０００９】
本考案の次の目的は、一種のコンピュータマウスの電池カバーの開放と止め合わせ装置を提供することにあり、それは電池カバーを緊密に係合させられ、また電池カバーの開放が必要である時は、その開放の操作が簡単で、電池カバーが閉合状態の時に、カバーがコンピュータマウス本体と緊密に係合し、使用者が手指でカバー開放ボタンを押圧する時にカバーが弾性開放されて、全体の電池交換の過程で内部に収容された無線回路装置に衝突することがなく、部品を失うこともなく、これによりコンピュータマウスの使用の安全性を高めることができるものとする。
【００１０】
本考案は一種のコンピュータマウスの電池カバーの開放と止め合わせ装置を提供し、それは、コンピュータマウスに底座、中座カバー、及び電池カバーが設けられ、該中座カバーが電池溝室を具え、少なくとも一つの電池を載置し、該電池カバーが該中座カバーの電池溝室を被覆可能で、電池カバーの底面より下向きに係止端が延伸されている。カバー開放ボタンが底座の中座カバーの電池溝室の近隣に配置され、該カバー開放ボタンは押圧端と係止端を具え、且つその係止端が電池カバーの係止端に対応する。カバー開放ボタンが押圧される時、該電池カバーの係止端とカバー開放ボタンの係止端が係合関係を解除し、更に弾性部品により上向きの弾力が電池カバーに加えられて電池カバーが上向きに弾性開放される。
【００１１】
本考案の好ましい実施例において、該カバー開放ボタンは案内柱を具え、該案内柱は該カバー開放ボタンが押圧された時に水平方向の移動を案内し、該案内柱の外周にコイルバネが嵌合され、且つコイルバネの一端より弾性部品の押圧弾性セクションが延伸されている。該カバー開放ボタンは押圧端の上方位置に形成された突出部を具え、該突出部の上端に係止端が形成され、該突出部に溝が開設され、弾性部品の押圧弾性セクションが通される。
【課題を解決するための手段】
【００１２】
請求項１の考案は、
底座と、
電池溝室を具え、少なくとも一つの電池を載置する中座カバーと、
該中座カバーの電池溝室を被覆可能で、底面より下向きに係止端が延伸された電池カバーと、
該底座の中座カバーの電池溝室の近隣に配置され、押圧端と係止端を具え、その係止端が電池カバーの係止端に対応し相互に係合可能であるカバー開放ボタンと、
該カバー開放ボタンに結合され、押圧弾性セクションを具え、該押圧弾性セクションが電池カバーの係止端底部位置に延伸された弾性部品と、
を具え、該電池カバーが下向きの圧力を受ける時、該電池カバーの係止端がカバー開放ボタンの係止端と相互に係合し、カバー開放ボタンの押圧端が押圧される時、該電池カバーの係止端とカバー開放ボタンの係止端が係合を解除して該弾性部品が上向きの弾力を該電池カバーに与えて電池カバーを上向きに弾性開放させることを特徴とする、コンピュータマウスの電池カバーの開放と止め合わせ装置としている。
請求項２の考案は、請求項１記載のコンピュータマウスの電池カバーの開放と止め合わせ装置において、底座に貫通孔が設けられ、該貫通孔にカバー開放ボタンが収容されたことを特徴とする、コンピュータマウスの電池カバーの開放と止め合わせ装置としている。
請求項３の考案は、請求項１記載のコンピュータマウスの電池カバーの開放と止め合わせ装置において、カバー開放ボタンが押圧端の上方位置に形成された突出部と、該突出部の上端に形成された上記係止端を具えたことを特徴とする、コンピュータマウスの電池カバーの開放と止め合わせ装置としている。
請求項４の考案は、請求項３記載のコンピュータマウスの電池カバーの開放と止め合わせ装置において、前記突出部に溝が開設され、弾性部品の押圧弾性セクションが該溝に通されたことを特徴とする、コンピュータマウスの電池カバーの開放と止め合わせ装置としている。
請求項５の考案は、請求項１記載のコンピュータマウスの電池カバーの開放と止め合わせ装置において、カバー開放ボタンが案内柱を具え、該案内柱がカバー開放ボタンが押圧された時の水平方向移動を案内することを特徴とする、コンピュータマウスの電池カバーの開放と止め合わせ装置としている。
請求項６の考案は、請求項５記載のコンピュータマウスの電池カバーの開放と止め合わせ装置において、案内柱の外周にコイルバネが嵌合されたことを特徴とする、コンピュータマウスの電池カバーの開放と止め合わせ装置としている。
請求項７の考案は、請求項６記載のコンピュータマウスの電池カバーの開放と止め合わせ装置において、コイルバネの一端に一体に弾性部品より延伸された押圧弾性セクションが設けられたことを特徴とする、コンピュータマウスの電池カバーの開放と止め合わせ装置としている。
【考案の効果】
【００１３】
既存の技術と比較すると、本考案は伝統的な無線式コンピュータマウスの電池交換時に工具でネジを取り外してカバーと中座カバーを分離しなければならず、時間と手間がかかり、部品を失いやすく、回路を傷つけやすい欠点を克服することができる。本考案は電池交換の過程で工具不要で部品を取り外す必要がなく、便利で快速で安全な長所を有している。
【考案を実施するための最良の形態】
【００１４】
図１は本考案の電池カバーの開放と止め合わせ装置を配置したコンピュータマウスの立体図、図２から図５は該コンピュータマウスの側面図、正面図、背面図、及び底面図であ。図６は本考案のコンピュータマウスの電池カバーの開放と止め合わせ装置の関係部品分離時の立体分解図である。本考案は以下の実施例において無線式コンピュータマウスを実施例として説明する。図示されるように、本考案のコンピュータマウスは底座１を具え、該底座１の後端に貫通孔１１が開設されている。
【００１５】
該底座１に回路基板２が配置され、並びに回路基板２上に操作ローラ２１、導電バネ２２ａ、導電バネ２２ｂ、及びその他のコンピュータマウス制御回路の電子装置、集積回路、機構部品が組み合わされている。
【００１６】
該底座１の上面に中座カバー３が結合され、回路基板２が該底座１と中座カバー３の形成する内部空間に収容される。
【００１７】
該中座カバー３の後側端に電池収容溝座３１が形成され、並びに電池載置補助部品４が結合され、該電池載置補助部品４の前端に電池載置凹部４１が形成さあれている。周知の係止構造が中座カバー３の電池収容溝座３１中に結合される。該中座カバー３の電池収容溝座３１に近い後側端に一対の導電片位置決め部３２ａ、３２ｂが形成され、一対の導電片３３ａ、３３ｂを具えた導電片受板３３が嵌合され、中座カバー３の前端部分に係止端３４が形成されている。
【００１８】
該電池収容溝座３１、電池載置凹部４１の間に形成された空間が即ち本考案中の電池受座を形成し、二つの並列配置された電池５を載置可能で、並びに電池５が導電片位置決め部３２ａ、３２ｂ、導電バネ２２ａ、２２ｂにより電気的に接続され電力を供給する。
【００１９】
中座カバー３の上面に電池カバー６が結合され、該中座カバー３の電池収容溝座３１を被覆する。該電池カバー６の前側にボタンセット６１、装飾部品６２が結合され、並びに装飾部品６２の前端に嵌止端６２１が形成されて装飾部品６２がこれにより中座カバー３に係止される。
【００２０】
本考案中、更にカバー開放ボタン７が設けられ、該カバー開放ボタン７の位置は底座１の貫通孔１１中とされ、並びに該貫通孔１１中で水平方向の操作を受けてスライドする。該カバー開放ボタン７の構造は押圧端７１、及び該押圧端７１の上方に形成された突出部７２、該突出部７２の上端に形成された係止端７３を具え、且つ該突出部７２中に溝７４が開設されている。
【００２１】
このほか、該カバー開放ボタン７は更に案内柱７５を具え、該案内柱７５は底座１の貫通孔１１中に挿入されてカバー開放ボタン７の押圧端７１が使用者による押圧を受けた時に、該案内柱７５が該貫通孔１１中で水平方向にスライドする。該案内柱７５の外周に弾性部品８が嵌合され、それはコイルバネ８１と押圧弾性セクション８２を具え、該コイルバネ８１の後端面と前端面は押圧端７１と底座１の制圧板１３の間に制圧される。該押圧弾性セクション８２はコイルバネ８１の前端面より一体に延伸され、並びに上向きに折り曲げられて所定の高さ延伸された後、さらに後方に水平に延伸され、並びに押圧弾性セクション８２の自由端がカバー開放ボタン７の溝２４に通される。
【００２２】
図７は図１の７−７断面図である。図８は図７中のＡ部分の拡大図である。図９は図７中のＢ部分の拡大図である。上述の各部品の組合せが完成した時、各部品は係止構造或いは周知のネジ部品１２により強固に結合される。この時、電池カバー６の係止端６３は下向きに突出して中座カバー３の中空エリア３５に所定長さ突出する。この時、カバー開放ボタン７の係止端７３は電池カバー６の係止端７３と係合する。
【００２３】
図１０は本考案のコンピュータマウスの電池カバーの開放と止め合わせ装置のカバー開放ボタンが押圧された時の断面図である。図１１は図１０中のＣ部分の拡大図である。コンピュータマウス中の電池５の電力がなくなった時、使用者はそれを交換しなければ正常にコンピュータマウスを使えない。この時、使用者はカバー開放ボタン７の押圧端７１を押圧すれば、全体のカバー開放ボタン７が案内柱７５の案内により底座１の貫通孔１１中を前方に移動する。
【００２４】
カバー開放ボタン７が前に移動すると同時に、突出部７２も前方に移動し、係止端７３と電池カバー６の係止端６３が係合を解除し、この時、弾性部品８の押圧弾性セクション８２の弾力により電池カバー６の後端が上向きに弾性開放され、電池カバー６が開放状態となる。ゆえに使用者は順調に電池５を中座カバー３の電池収容溝座３１中より取り出すことができ、新しい電池に交換できる。
【００２５】
新しい電池に交換した後、使用者が手指で軽く電池カバー６の後端を押圧すれば、電池カバー６の係止端６３を再びカバー開放ボタン７の係止端７３と係合させることができ、並びに弾性部品８の押圧弾性セクション８２による制圧でそれを離脱させない。こうして全体の電池交換の過程が完成する。
【００２６】
以上の本考案の実施例から分かるように、本考案の提供するコンピュータマウスの電池カバーの開放と止め合わせ装置は電池交換の過程で、工具を必要とせず、且つ部品を取り外す必要がなく、便利で、快速で安全であり、極めて実用価値を有している。
【００２７】
なお、以上の実施例は本考案の実施範囲を限定するものではなく、本考案に基づきなしうる細部の修飾或いは改変は、いずれも本考案の請求範囲に属するものとする。
【図面の簡単な説明】
【００２８】
【図１】本考案の電池カバーの開放と止め合わせ装置を配置したコンピュータマウスの立体図である。
【図２】本考案の電池カバーの開放と止め合わせ装置を配置したコンピュータマウスの側面図である。
【図３】本考案の電池カバーの開放と止め合わせ装置を配置したコンピュータマウスの正面図である。
【図４】本考案の電池カバーの開放と止め合わせ装置を配置したコンピュータマウスの背面図である。
【図５】本考案の電池カバーの開放と止め合わせ装置を配置したコンピュータマウスの底面図である。
【図６】本考案のコンピュータマウスの電池カバーの開放と止め合わせ装置の関係部品分離時の立体分解図である。
【図７】図１の７−７断面図である。
【図８】図７中のＡ部分の拡大図である。
【図９】図７中のＢ部分の拡大図である。
【図１０】本考案のコンピュータマウスの電池カバーの開放と止め合わせ装置のカバー開放ボタンが押圧された時の断面図である。
【図１１】図１０中のＣ部分の拡大図である。
【符号の説明】
【００２９】
１  底座
１１  貫通孔
１２  ネジ部品
１３  制圧板
２  回路基板
２１  操作ローラ
２２ａ、２２ｂ  導電バネ
３  中座カバー
３１  電池収容溝座
３２ａ、３２ｂ  導電片位置決め部
３３  導電片受板
３３ａ、３３ｂ  導電片
３４  係止端
３５  中空エリア
４  電池載置補助部品
４１  電池載置凹部
４２  係止部
５  電池
６  電池カバー
６１  ボタンセット
６２  装飾部品
６２１  嵌止端
６３  係止端
７  カバー開放ボタン
７１  押圧端
７２  突出部
７３  係止端
７４  溝
７５  案内柱
８  弾性部品
８１  コイルバネ
８２  押圧弾性セクション
【図１】
0003110649.tif 000003
【図２】
0003110649.tif 000004
【図３】
0003110649.tif 000005
【図４】
0003110649.tif 000006
【図５】
0003110649.tif 000007
【図６】
0003110649.tif 000008
【図７】
0003110649.tif 000009
【図８】
0003110649.tif 000010
【図９】
0003110649.tif 000011
【図１０】
0003110649.tif 000012
【図１１】
0003110649.tif 000013